(57)【要約】【課題】閉空間内で発生させたモイスチャを均質化することの可能なモイスチャ処理装置を提供する。【解決手段】殺菌対象物(11)を収容し、殺菌処理をする略密閉した処理空間(3)を形成する処理容器(6)と、処理空間内で殺菌対象物を殺菌可能に支持するための支持部材と、処理空間内に水分を供給する水供給手段(4)と、処理空間内に供給された水分を加熱する加熱手段(5)と、処理容器の内側面に沿って回転可能な螺旋部材(14)と、螺旋部材を処理容器の内側壁に対して相対的に回転させる回転手段(2)と、を備える。【選択図】図１
2014090836.tif 000002
【特許請求の範囲】
【請求項１】
殺菌対象物を収容し、殺菌処理をする略密閉した処理空間を形成する処理容器と、
前記処理空間内で前記殺菌対象物を殺菌可能に支持するための支持部材と、
前記処理空間内に水分を供給する水供給手段と、
前記処理空間内に供給された水分を加熱する加熱手段と、
前記処理容器の内側面に沿って回転可能な螺旋部材と、
前記螺旋部材を前記処理容器の内側壁に対して相対的に回転させる回転手段と、
を備えることを特徴とするモイスチャ処理装置。
【請求項２】
前記螺旋部材は、前記処理容器の内側壁に回転可能に支持されていることを特徴とする請求項１に記載のモイスチャ処理装置。
【請求項３】
前記螺旋部材は、螺旋溝を備え、
前記螺旋溝は、前記螺旋部材の径方向内側に開口していることを特徴とする請求項１または２に記載のモイスチャ処理装置。
【発明の詳細な説明】
【技術分野】
【０００１】
本発明は、モイスチャによって処理対象物を殺菌、乾燥等の処理に用いられるモイスチャ処理装置に関するものである。
【背景技術】
【０００２】
モイスチャを用いた処理装置が特許文献１に開示されている。この処理装置は、殺菌対象物を収容する処理空間を密閉し、湿り空気発生装置で発生した湿り空気が上昇気流により処理空間内に流入し、殺菌対象物を殺菌する。これにより、湿り空気を全て無駄なく殺菌に利用することができる。また、処理空間を形成するカバー材にの長さを変更したり、カバー材に開口部を設けたりすることによって、処理空間内の湿り空気の温度調節を行うことが可能となる。
【先行技術文献】
【特許文献】
【０００３】
【特許文献１】実用新案登録第３１３１２０９号公報
【発明の概要】
【発明が解決しようとする課題】
【０００４】
しかしながら、上述した従来技術では、処理空間内の温度やモイスチャが均質化せずにムラが発生してしまうため、発生させたモイスチャを効率よく殺菌に用いることには未だ課題が残っている。発生したモイスチャをより効率よく殺菌に用いることができれば、経済的な観点からも好ましい。
【０００５】
本発明は、上述した課題を解決すべくなされたものであり、閉空間内で発生させたモイスチャを均質化することの可能なモイスチャ処理装置の提供を目的とするものである。
【課題を解決するための手段】
【０００６】
上記の目的を達成するべく、本発明の一態様では、殺菌対象物を収容し、殺菌処理をする略密閉した処理空間を形成する処理容器と、前記処理空間内で前記殺菌対象物を殺菌可能に支持するための支持部材と、前記処理空間内に水分を供給する水供給手段と、前記処理空間内に供給された水分を加熱する加熱手段と、前記処理容器の内側面に沿って回転可能な螺旋部材と、前記螺旋部材を前記処理容器の内側壁に対して相対的に回転させる回転手段と、を備えることを特徴とする。
【０００７】
本発明の別の態様では、前記螺旋部材は、前記処理容器の内側壁に回転可能に支持されていることを特徴とする。
【０００８】
本発明の別の態様では、前記螺旋部材は、螺旋溝を備え、前記螺旋溝は、前記螺旋部材の径方向内側に開口していることを特徴とする。
【発明の効果】
【０００９】
本発明によれば、螺旋部材が回転手段によって処理容器の内側壁に沿って回転するので、処理空間内に空気の渦流が発生し、発生したモイスチャはこの渦流によって拡散し、処理空間内でモイスチャが略均質化される。また、モイスチャを均質化することにより、処理空間内の温度も略均質化する。これにより、モイスチャを用いて殺菌対象物をより効率よく殺菌することができる。
【００１０】
また、螺旋部材は処理容器の内側壁に回転可能に支持されているので、渦流を発生させやすい処理空間の形状、例えば処理空間を広くし、且つ絞りを有するような空間を形成しなくても渦流を発生することが可能となる。
【００１１】
そして、螺旋部材には螺旋溝が形成されているので、処理空間内で発生した上昇気流が螺旋部材に到達すると、螺旋溝に従って回転運動が加えられることにより、渦流の発生を促進することができる。したがって、処理空間内のモイスチャや温度等を略均質化することができ、殺菌対象物をより効率よく殺菌することができる。
【図面の簡単な説明】
【００１２】
【図１】本発明の実施形態に係るモイスチャ処理装置の概略断面図である。
【図２】図１に示した螺旋部材の概略図である。
【発明を実施するための形態】
【００１３】
以下、本発明の実施形態について図面を参照しながら説明する。
図１は、本発明の実施形態に係るモイスチャ処理装置１の概略断面図である。なお、以下はモイスチャによる殺菌を例にして説明する。
【００１４】
モイスチャ処理装置１は、回転手段２と、処理空間３と、水分供給手段４と、加熱手段５とで構成される。処理空間３は、側壁７と上壁８とからなる円筒状のカバー体６により略密閉されて形成される。処理空間３には、加熱手段５、容器９、及び載置台１０が収容され、載置台１０の載置面１０ａ上に殺菌対象の処理対象物１１が載置される。載置面１０ａは、載置台１０の下部で発生するモイスチャに処理対象物１１を十分曝すことができるように、網目状とするのが好ましい。
【００１５】
水分供給手段４は、水タンク１２、バルブ１３、及び配管１４で構成される。加熱手段５は、処理空間３内の下部に備わり、ガスボンベ（図示せず）を用いたカセットコンロであるが、ヒーター（セラミックヒーター）等を用いてもよい。加熱手段５上には、水分を収容する容器９が載置されている。水分供給手段４から容器９に水分が供給され、加熱手段５により容器９内の水分が加熱されてモイスチャを発生させる。水分供給手段４と加熱手段５とは、モイスチャを発生させることができればこのような構成に限られない。例えば、水で満たされた水槽内に超音波振動子を投入し、これをガスバーナーで加熱してミスト状とするのでもよい。
【００１６】
処理空間３の内側壁７ａに沿って、螺旋部材１４が回転可能に支持されている。螺旋部材１４は回転手段２によって駆動し、回転軸Ｙの軸線周りに内側壁７ａに沿って回転する。螺旋部材１４は、処理対象物１１を囲むように配置される。回転手段２としては、例えばモータ、ベルト、及び歯車等が挙げられるが、これに限られない。
【００１７】
図２に螺旋部材１４の概略図を示す。螺旋部材１４は、カバー体６の内側壁７ａに当接する側壁１４ａと、径方向内側へ開口する螺旋溝１４ｂとからなる。螺旋部材１４の外径は、処理空間３の内径と略等しくなるように形成されている。これにより、内側壁７ａが螺旋部材１４を回転可能に支持することが可能となる。なお、螺旋部材１４の巻き数や高さ等は、適宜変更可能である。
【００１８】
モイスチャ処理装置１で処理対象物１１をモイスチャにより処理する場合、まず処理対象物１１を載置面１０ａに載置する。この後、バルブ１３を調整して、水タンク１２内の水を配管１４から容器９に供給する。この供給された水分を加熱手段５により加熱し、モイスチャを発生させる。なお、モイスチャの発生効率を高めるため、配管１４をノズル形状とし、水分を拡散させながら容器９に供給してもよい。加熱による上昇気流で、モイスチャは上部に載置された処理対象物１１まで移動し、モイスチャが持つ熱エネルギーを処理対象物１１に付与する。即ち、モイスチャにより殺菌、消毒等の処理を処理対象物１１に施すことができる。
【００１９】
ここで、上述したように処理空間３内の温度や湿度は不均質な状態であり、これを均質化させるために、回転手段２により螺旋部材１４が駆動され、螺旋部材１４が内側壁７ａに対して相対的に回転する。螺旋部材１４が回転すると、処理空間３内に渦流が発生し、この渦流により処理空間３内の温度や湿度を略均質化することができる。これにより、モイスチャによる処理対象物１１の殺菌、消毒等の処理効率を向上することが可能となる。
【００２０】
また、内側壁７ａに螺旋部材１４を回転可能に支持することにより、例えば処理空間３を広くして、且つ絞りを有するような渦流を発生させやすい処理空間の形状とすることなく、渦流を発生させることができる。これにより、処理空間３の形状を複雑にすることなく、処理空間内の温度や湿度等の均質化を行うことができる。また、螺旋部材１４に螺旋溝１４ｂを形成することにより、加熱手段５により加熱された水分が蒸発して上昇気流となり螺旋部材１４に到達すると、螺旋溝１４ｂに従って回転運動が加えられるので、渦流の発生が促進される。これにより、より効率よく処理対象物１１の殺菌、消毒等の処理を行うことができる。
【００２１】
以上で実施形態の説明を終えるが、本発明は上述した実施形態に限定されるものではなく、本発明の趣旨を逸脱しない範囲で種々の変更が可能である。
例えば、上記実施形態では、螺旋部材１４は、処理対象物１１を囲むように配置しているが、処理空間３の大きさや形状等に応じて処理空間の適切な位置に配置してもよい。つまり、螺旋部材１４を回転させて発生する渦流により処理空間内の温度や湿度等を均質化させることの可能な位置に、螺旋部材１４を配置するのが好ましい。
また、上記実施形態では、載置台１０に処理対象物１１を載置しているが、発生させたモイスチャに処理対象物１１を曝すように支持できればよく、例えば網状の収容容器に処理対象物１１を収容してもよいし、上壁８から処理対象物１１を吊り下げてもよい。
【符号の説明】
【００２２】
１  モイスチャ処理装置
２  回転手段
４  水分供給手段
５  加熱手段
６  カバー体
７  側壁
７ａ  内側壁
９  容器
１１  処理対象物
１４  螺旋部材
１４ｂ  螺旋溝
【図１】
2014090836.tif 000003
【図２】
2014090836.tif 000004